(57)【要約】　　　（修正有）【課題】スリッパの前部の足カバーの内側に足底を直角に保持する布をつけ踵を一回りして外側に止めることによって尖足を防止できるスリッパを提供すること。手術直後や脳卒中後の片麻痺のひとに発病後すぐこの尖足防止用スリッパを履かせることによって尖足を予防しその後のリハビリをしやすくまた回復の手助けとなるようにすること。【解決手段】スリッパの踏底の前部の足カバーの内側に９センチ×３６．５センチの踵直角保持布を縫着し外側に面ファスナーを２．５センチ×７センチ縫着する踵直角保持布の端にも２．５センチ×７センチの面ファスナーを縫着しスリッパの前部の足カバーに足を入れてはいたとき足の踵を一回りさせてスリッパの外側に縫着した面ファスナーの部分ととめるスリッパを構成した。【選択図】　図１
2004000390.tif 000002
【特許請求の範囲】
【請求項１】
スリッパの踏底の前部の足カバーの内側に９センチ×３６．５センチの踵直角保持布を縫着し外側にマジックテープを２．５センチ×７センチ縫着する
踵直角保持布の端にも２．５センチ×７センチのマジックテープを縫着しスリッパの前部の足カバーに足を入れてはいたとき踵直角保持布を足の踵を一回りさせてスリッパの外側に逢着したマジックテープの部分と止める事を特徴とするスリッパ。
【請求項２】
踏底の前部の足カバーの先は患者が常時使用するため足がむれないようにつま先の一部分が風通しよくなるよう穴をあけておくことを特徴とする
【請求項３】
踏底の前部の足カバーの前側には足を打撲から保護するため１センチの突出部があることを特徴とする。
【発明の詳細な説明】
【０００１】痙直性尖足は脳性麻痺や脳卒中後の片麻痺などの痙性麻痺により底屈筋の緊張が高まることによって生ずる。
麻痺性尖足はポリオ、二分脊椎、（脊髄髄膜瘤）、シャルコー＝マリー＝トゥース病、緋骨神経麻痺などの弛緩性麻痺により背屈筋の筋力が低下又は消失することにより生ずる。
これらの尖足変形は発病のはじめには他動的に矯正できるが後には軟部組織が短縮し足関節が底屈位で拘縮し骨変形を生じ尖足位に固定されるようになり他動的にも背屈できなくなる
尖足防止のためにはベッドの下部の柵に足ゾコをつけるように指導したり、足底のあたる部分に板を当てたり枕を足底に当てたりしているが脳卒中後の片麻痺の人は意識レベルが低く自分の意思でベッドの柵に足底をつけておこうということはできず尖足になってしまっている人が多い。
結局尖足の予防が発病直後にしっかりとできないため急性期が過ぎて歩こうとしても尖足になってしまっていて立位が不可能になってしまっている。
一度尖足になってしまうとアキレス腱延長術、矯正骨きり術、腱の移行術などの手術的治療をしなければ治らないのでリハビリの効果も減ってしまう。
スリッパに踵直角保持布を縫着することにより足関節を直角に保つことをして尖足を予防するのがこの発明である．
発明の属する技術分野
【０００２】この発明は屋内で特に病院、リハビリ施設、デイケア施設、デイサービス施設で尖足防止のために上履きとして使用するスリッパである。
発病直後の人には従来のベッド柵や板、枕の代わりにベッド上で履かせるスリッパである．
従来の技術
【０００３】尖足防止のためにはベッドの下部の柵に足ゾコをつけるように指導したり、足底のあたる部分に板を当てたり枕を足底に当てたりしていて直接足につけておく履物上のものはない。
脳卒中後の片麻痺の人は意識レベルが低く自分の意思でベッドの柵に足底をつけておこうということはできず尖足になってしまっている人が多い。
課題を解決解決するための手段
の発明は上記の目的を達成するためにスリッパの踏底の前部の足カバーの内側に９センチ×３６．５センチの踵直角保持布を縫着し外側にマジックテープを２．５センチ×７センチ縫着する
踵直角保持布の端にも２．５センチ×７センチのマジックテープを縫着しスリッパの前部の足カバーに足を入れてはいたとき足の踵を一回りさせてスリッパの外側に縫着したマジックテープの部分ととめるスリッパを構成した。
踏底は形の崩れない材質で平面を保持でき足カバーは足を入れやすく形が崩れない材質で踵の直角保持布は足にフィットする布で踏底と踵の直角保持布を足に巻きつけることにより足底を直角に保つことができる。
踏底の前部の足カバーの先はむれないようにつま先の一部分が風通しよくなるように穴をあけておく
踏底の全部の足カバーの先を空けてあるため足を打撲から保護するために足カバーの周囲に１センチの突出部をつける
発明の実施の形態
手術直後の患者や脳梗塞、脳出血を発病した患者にはベッド上で履かせる．
脳梗塞や脳出血により車椅子生活になった患者には車椅子上で使用させる．
実施例
居宅から通所リハビリテーションに週に２回利用している車椅子生活者に利用している．
発明の効果
１　足底を直角に保持することにより手術後や脳梗塞脳出血などの発病直後に尖足を予防することができる。
現在は足底に板を置いたり枕を置いて直角を保つようにしているだけなので脳梗塞脳出血などの意識レベルの低下しているひとは自分の意思でベッド柵や板に足底をつけておこうということはできず尖足になってしまっている人が多い。
また手術直後の人も寝返りをうつことができないという不自由さがある。
結局尖足の予防が発病直後にしっかりとできないため急性期が過ぎて歩こうとしても尖足になってしまっていて立位が不可能になってしまっている。
一度尖足になってしまうとアキレス腱延長術、矯正骨きり術、腱の移行術などの手術的治療をしなければ治らないのでリハビリの効果も減ってしまう。
たとえ車椅子生活になっても尖足を予防できれば車椅子の足載せに足をしっかり置いて車椅子を操作することもできる。
２　介護の必要な車椅子利用の人にこの尖足防止のスリッパを履かせておくとトイレ移動時も清潔に移動ができる。
３　清潔に移動ができると同時にこの動作がリハビリもかねることになるため回復の手助けにもなる。
４　踏底の前部の足カバーの先端部に穴をあけることにより足のむれを防ぐため水虫の予防にもなる。
５　車椅子利用の人は下肢の感覚が麻痺している人が多いためスリッパの前部の足カバーの前側に１センチの突出部があることにより物にぶつかったときに足を打撲から保護することができる。
６　尖足を予防できればその後のリハビリも明るいものがあり本人の運動範囲も増え精神的に生きる意欲も増す。
【図面の簡単な説明】
図１は屋内履物として一般的に用いられているスリッパであって
踏み底１の前部の足カバー２を縫着し
その間に足入れ口３が開口し
足カバー２の内側に布製の踵直角保持布４を縫着し
踵直角保持布４の端にマジックテープ５を縫着する
前部の足カバー２の外側にマジックテープ５’を縫着し
踵直角保持布４を図２のように足の踵の周りに一回りさせ
踵直角保持布４の端に縫着したマジックテープ５を前部の足カバー２の外側のマジックテープ５’と合わせとめる。
足カバー２の前側にはぶつけたときの足保護のため踏み底は１センチ足カバーより前に突出している。
足カバー２はかたくずれの生じない材質で足入り口３も安定して開口状態を保持する材質とする
踏み底はかたくずれを生じることなく平面を保つことのできる材質とする
踵直角保持布４は足の踵にフィットする布とする。
【図１】尖足防止スリッパを示した平面図である．
【図２】尖足防止スリッパを実際に履いた図である．
【符号の説明】
１　踏底
２　足カバー
３　足入り口
４　踵直角保持布　　　　　９＊３６．５
５　マジックテープ　　　　２．５＊７
６　先端の穴をあけてある部分
７　１センチの突出部
【図１】
2004000390.tif 000003
【図２】
2004000390.tif 000004